【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
室内の壁面に取り付けて、吸込口から取り入れた空気を調和して吹出口から略水平方向乃至下方向に向けて送出する空気調和機において、
前記吹出口よりも上方の前面側を遮蔽し、
前記吹出口は略水平方向乃至下方向に空気を送出する第１開口部と上方に空気を送出する第２開口部とからなることを特徴とする空気調和機。
【請求項２】
前記第２開口部を開閉する開閉部材を設けたことを特徴とする請求項１に記載の空気調和機。
【請求項３】
前記第１開口部から送出される空気の風向を可変するとともに前記第２開口部の開放時に前記第１開口部を閉塞する風向板を設けたことを特徴とする請求項２に記載の空気調和機。
【請求項４】
前記吸込口から前記吹出口に連通する送風経路を備え、前記送風経路は、前方へ行くにしたがって下方に傾斜した上壁及び下壁と、前記上壁の前方に連続して前記吹出口近傍で前方へ行くほど上方になるように傾斜した上壁とを有し、
前記第１開口部に空気を導く第１通路と該第１通路に連通して前記第２開口部に空気を導く第２通路とを設けるとともに、
前記第２通路を開放する位置と前記第２通路を遮蔽して前記第１通路の壁面を形成する位置との間を移動する遮蔽部材を設けたことを特徴とする請求項１から請求項３のいずれかに記載の空気調和機。
【請求項５】
室内の壁面に取り付けて、吸込口から取り入れた空気を調和して吹出口から送出する空気調和機において、
前記吹出口よりも上方の前面側を遮蔽し、
前記吹出口は略水平方向乃至下方向に空気を送出する第１開口部と上方に空気を送出する第２開口部とからなり、
前記吹出口から略水平方向乃至下方向へ送出される空気の経路を遮って空気を上方へ案内する位置と前記経路を開放する位置との間を移動する風向板を設けたことを特徴とする空気調和機。
【請求項６】
前記吹出口から上方へ空気を送出して冷房運転または除湿運転を行うことを特徴とする請求項１から請求項５のいずれかに記載の空気調和機。
【請求項７】
遮蔽した前記前面側の一部に前記吸込口を形成し、垂直面に投影したときに前記吸込口の開口面積を前記吹出口よりも上方の投影面積の２０％以下にしたことを特徴とする請求項１から請求項６のいずれかに記載の空気調和機。
【請求項８】
垂直面に投影した前記前面側のうち前記吹出口よりも上方の長さを１００％とし、その上から５０％よりも下方を遮蔽したことを特徴とする請求項１から請求項６のいずれかに記載の空気調和機。
【請求項９】
前記吹出口から調和空気を上方に向けて送出して空気調和機の前面を通過させることを特徴とする請求項１から請求項８のいずれかに記載の空気調和機。
【手続補正２】
【補正対象書類名】明細書
【補正対象項目名】００２０
【補正方法】変更
【補正の内容】
【００２０】
上記目的を達成するために本発明は、室内の壁面に取り付けて、吸込口から取り入れた空気を調和して吹出口から略水平方向乃至下方向に向けて送出する空気調和機において、前記吹出口よりも上方の前面側を遮蔽し、前記吹出口は略水平方向乃至下方向に空気を送出する第１開口部と上方に空気を送出する第２開口部とからなることを特徴としている。この構成によると、空気調和機を運転すると、例えば空気調和機の上面側に設けた吸込口から取り込まれた空気が調和されて吹出口から下方に送出され、所定の時期になると吹出口から上方に送出される。上方に送出された調和空気は、空気調和機の前面側から取り込まれることなく室内に流通する。尚、空気調和機の前面側と言う場合には、正面から視認できる傾斜面や曲面が含まれる。
【手続補正３】
【補正対象書類名】明細書
【補正対象項目名】００２１
【補正方法】変更
【補正の内容】
【００２１】
また本発明は、上記構成の空気調和機において、前記第２開口部を開閉する開閉部材を設けたことを特徴としている。
また本発明は、上記構成の空気調和機において、前記第１開口部から送出される空気の風向を可変するとともに前記第２開口部の開放時に前記第１開口部を閉塞する風向板を設けたことを特徴としている。
【手続補正４】
【補正対象書類名】明細書
【補正対象項目名】００２２
【補正方法】変更
【補正の内容】
【００２２】
また本発明は、上記構成の空気調和機において、前記吸込口から前記吹出口に連通する送風経路を備え、前記送風経路は、前方へ行くにしたがって下方に傾斜した上壁及び下壁と、前記上壁の前方に連続して前記吹出口近傍で前方へ行くほど上方になるように傾斜した上壁とを有し、前記第１開口部に空気を導く第１通路と該第１通路に連通して前記第２開口部に空気を導く第２通路とを設けるとともに、前記第２通路を開放する位置と前記第２通路を遮蔽して前記第１通路の壁面を形成する位置との間を移動する遮蔽部材を設けたことを特徴としている。
【手続補正５】
【補正対象書類名】明細書
【補正対象項目名】００２３
【補正方法】変更
【補正の内容】
【００２３】
また本発明は、室内の壁面に取り付けて、吸込口から取り入れた空気を調和して吹出口から送出する空気調和機において、前記吹出口よりも上方の前面側を遮蔽し、前記吹出口は略水平方向乃至下方向に空気を送出する第１開口部と上方に空気を送出する第２開口部とからなり、前記吹出口から略水平方向乃至下方向へ送出される空気の経路を遮って空気を上方へ案内する位置と前記経路を開放する位置との間を移動する風向板を設けたことを特徴としている。
【手続補正６】
【補正対象書類名】明細書
【補正対象項目名】００２４
【補正方法】変更
【補正の内容】
【００２４】
また本発明は、上記各構成の空気調和機において、前記吹出口から上方へ空気を送出して冷房運転または除湿運転を行うことを特徴としている。
【手続補正７】
【補正対象書類名】明細書
【補正対象項目名】００２５
【補正方法】変更
【補正の内容】
【００２５】
また本発明は、上記各構成の空気調和機において、遮蔽した前記前面側の一部に前記吸込口を形成し、垂直面に投影したときに前記吸込口の開口面積を前記吹出口よりも上方の投影面積の２０％以下にしたことを特徴としている。この構成によると、吹出口から上方に送出された調和空気は吸込口から空気調和機内への流入が抑制されて室内に流通する。
【手続補正８】
【補正対象書類名】明細書
【補正対象項目名】００２６
【補正方法】変更
【補正の内容】
【００２６】
また本発明は、上記各構成の空気調和機において、垂直面に投影した前記前面側のうち前記吹出口よりも上方の長さを１００％とし、その上から５０％よりも下方を遮蔽したことを特徴としている。この構成によると、吹出口から上方に送出された調和空気は吸込口から空気調和機内への流入が抑制されて室内に流通する。
【手続補正９】
【補正対象書類名】明細書
【補正対象項目名】００２７
【補正方法】変更
【補正の内容】
【００２７】
また本発明は、上記各構成の空気調和機において、前記吹出口から調和空気を上方に向けて送出して空気調和機の前面を通過させることを特徴としている。
【手続補正１０】
【補正対象書類名】明細書
【補正対象項目名】００２８
【補正方法】変更
【補正の内容】
【００２８】
本発明によると、使用者に常に冷たい風や暖かい風が当たることがなく、使用者の不快感防止による快適性の向上及び健康上の安全性の向上を図ることができるとともに、ショートサーキットを防止して冷却効率或いは暖房効率を向上させることができる。また、ショートサーキットが発生しないため、冷房運転時や除湿運転時に結露水の凍結及び成長を防止できる。従って、結露水の凍結による氷が解けた水や結露水が室内へ放出されることによる浸水を防止することができるとともに、成長した氷の押圧力による空気調和機の変形や破損を防止することができる。
【手続補正１１】
【補正対象書類名】明細書
【補正対象項目名】００２９
【補正方法】変更
【補正の内容】
【００２９】
また本発明によると、吸込口の開口率を２０％以下にしたので、使用者の不快感防止による快適性の向上及び健康上の安全性の向上を図ることができるとともに、ショートサーキットを抑制して冷却効率或いは暖房効率を向上させることができる。更に、結露水や凍結した氷が解けた水が放出されることによる室内の浸水や、成長した氷による空気調和機の変形や破損を防止することができる。
【手続補正１２】
【補正対象書類名】明細書
【補正対象項目名】００３０
【補正方法】変更
【補正の内容】
【００３０】
また本発明によると、垂直面に投影して吹出口よりも上方の長さを１００％としたときに、前面側の下方の５０％を遮蔽しているので、使用者の不快感防止による快適性の向上及び健康上の安全性の向上を図ることができるとともに、ショートサーキットを抑制して冷却効率或いは暖房効率を向上させることができる。更に、結露水や凍結した氷が解けた水が放出されることによる室内の浸水や、成長した氷による空気調和機の変形や破損を防止することができる。
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】